(57)【要約】【課題】点火プラグ用ドライバは電源オンと同時に作動すると，該ドライバ内の電解コンデンサの充電電流が電池のピーク負荷の要因となる。また，受信機，サーボの電源である組電池の再利用が望まれている。【解決手段】  電解コンデンサを充電し該ドライバを待機状態とする。論理ＩＣのゲートを導入し，外部入力の端子を設ける。該ゲートの入力電圧を手動にて切り換える手段を備え，外部入力端子の出力と手動スイッチの出力を選択的に切り換える手段として，ピンヘッダと短絡コネクタの組み合わせ，トグルスイッチもしくはスライドスイッチのいずれかを構成要素とする回路を形成する。  点火プラグ用ドライバのケース背面に，組電池を収納する袋を取り付ける。両者の結合は，ホックにより袋の脱着を容易にする。【選択図】図１
0003132951.tif 000002
【実用新案登録請求の範囲】
【請求項１】
ラジコン模型のグローエンジン用点火プラグのフィラメント電流をＦＥＴによりスイッチングするドライバであって，ＦＥＴを駆動する連続パルスをスタートストップするための論理ＩＣを導入し，そのゲート入力電圧を手動により切り換えるための手段として，トグルスイッチもしくはスライドスイッチを設け，さらに外部制御用の接点入力を併せて具備し，手動モードと外部制御モードを切り換えるために，ピンヘッダと短絡ソケットの組み合わせ，スライドスイッチ，もしくはトグルスイッチのいずれかの切り換え手段を具備する事を特徴とするグローエンジン点火プラグ用ドライバ。
【請求項２】
ラジコン模型である船もしくは車の，グローエンジン用点火プラグのフィラメント電流をスイッチングするドライバであって，ドライバケースの背面に，組電池を収納する布地もしくは柔軟性のある樹脂製の袋を取付けるために，スナップイン結合するホックを取り付けた事を特徴とするグローエンジン点火プラグ用ドライバ。
【考案の詳細な説明】
【技術分野】
【０００１】本考案は，グローエンジン点火プラグ用ドライバの考案に関する。
【背景技術】
【０００２】点火プラグのフィラメント電流をスイッチングした例を示す。
【特許文献１】特願平６−１４５３９７
【考案の開示】
【考案が解決しようとする課題】
【０００３】第一に，遠隔操作によるラジコン模型のエンジン始動を楽しむ愛好者は，点火プラグのフィラメントを赤熱する点火プラグ用ドライバの電源をオンオフして，フィラメント電流をオンオフ制御している。しかしながら，該ドライバの電源オンと同時に赤熱すると，該ドライバ内の電解コンデンサに急峻な充電電流が流れ，しかも，発熱前のフィラメントの抵抗値が低く，大きな突入電流が発生するため，相次ぐピーク負荷を解消すれば，電源となる電池のピーク負荷の時間が短縮される。【０００４】第二に，ラジコン模型に搭載される受信機およびサーボの電源として使用される組電池の電圧は，一般的に４．８〜７．２Ｖの再充電が可能な二次電池である。組電池の放電に伴う電圧降下による操縦不能を未然に回避するため，組電池の放電能力が低下気味になると，新品と交換する事が多く，このような組電池の再利用が望まれている。他方，ラジコン模型の車および船のエンジン始動は，エンジン本体に付設された手動スタータ機構によるクランクが普通であるため，スタータ用モータの電池を必要とせず，点火プラグの電源として，放電能力が低下した組電池の再利用が考えられる。しかしながら，模型に搭載される電池の大きさはセルの容量により異なり，さらに電池の組み方の形状は俵積み，並列など様々であるため，様々な形状と大きさの組電池を固定収納する構造方法が課題である。
【課題を解決するための手段】
【０００５】第一の課題を解決する手段について，従来の点火プラグ用ドライバの電源スイッチは省き，受信機，サーボモータと同様に模型本体に備えたスイッチにより，電源をオンし，該ドライバに内蔵する電解コンデンサは充電状態とする。ＦＥＴを駆動する連続パルスをスタートストップするための論理ＩＣを導入し，そのゲート入力電圧を外部制御する入力端子を設ける。さらに，ゲート入力電圧を手動により切り換える手段として，トグルスイッチもしくはスライドスイッチを備える。外部入力端子の出力と手動スイッチの出力を選択的に切り換える手段として，ピンヘッダと短絡ソケットの組み合わせ，トグルスイッチもしくはスライドスイッチのいずれかを構成要素とする。該ドライバは待機状態にあるため，電解コンデンサへの大きな充電電流が発生せず，電池のピーク負荷時間が軽減される。【０００６】第二の課題を解決する手段について，点火プラグ用ドライバのケース背面に，組電池を収納する布地もしくは柔軟性のある合成樹脂製の袋を取り付ける。該ドライバのケース背面と組電池を収納する袋との結合は，両者の接合面の双方に対をなすホックの片方をそれぞれ取り付け，袋の脱着を容易にする。
【考案の効果】
【０００７】点火プラグのフィラメントの突入電流発生時，既に点火プラグ用ドライバ内の電解コンデンサが充電されているため，電池のピーク負荷時間が緩和される。該ドライバに電池と点火プラグを接続して，フィラメント赤熱の状態を目視により確認しながら，該ドライバの可変抵抗器を調整する際，点火プラグの端子に接続したプラグコネクタを脱着する事なしに手動スイッチにより，フィラメント赤熱のスタートストップが可能となる。【０００８】組電池を収納する布地もしくは柔軟な合成樹脂製の袋は，予備の組電池の収納も容易になる。
【考案を実施するための最良の形態】
【０００９】ラジコン模型飛行機の点火プラグ用ドライバ使用例のブロック図を図３に示す。以下に記述する（）の英数字は図中の呼び出し符号である。プラグ部（２２）は点火プラグとプラグコネクタを含む。遠隔操作により，サーボモータおよびリンク機構を介して，スライダ（５２）を変位させ，点火プラグ赤熱の電源である電池（５３）と点火プラグ用ドライバ（５０）との間に介在するマイクロスイッチ（５１）をオンオフする。マイクロスイッチ（５１）がオンになると，電池から点火プラグ用ドライバ（５０）に電源電圧が供給され作動し，点火プラグのフィラメントが赤熱する。【００１０】実施形態の全体ブロック図を図１に示す。ＦＥＴをスイッチングする発振回路は動作電圧３〜１８ＶのＣＭＯＳ半導体論理ＩＣ，抵抗，可変抵抗，およびコンデンサから構成する。インバータ（７）の出力をインバータ（６）の入力に接続しフィードバックすると，信号の反転を２回繰り返しているため，位相が元に戻り発振する。発振周波数はコンデンサ（８）と可変抵抗（１０）による微分回路の時定数により定まり，２０ｋＨｚの周波数を採用する。抵抗（９）はインバータ（７）の入力を保護する抵抗である。発振回路の出力（１１）はデューティ比５０％の矩形波である。出力（１１）をインバータにより反転させ，ＣＲ結合の積分回路により波形を鈍らせる遅延波生成部（１２）に入力する。遅延波生成部（１２）の出力を論理ＩＣのＮＡＮＤゲートであるＮＡＮＤ１（１３）の入力（１ｂ）とし，他方の入力（１ａ）に発振回路の出力（１１）を接続すると，デューティ比が変化した波形が得られる。ＮＡＮＤ１（１３）の出力をインバータ（１５）により反転すると，連続パルス波形が得られる。遅延波生成部（１２）の可変抵抗器の抵抗値を変えると，積分回路の時定数が変化しパルス幅の可変が可能となる。電源電圧５Ｖの場合，１０μｓのパルス幅でフィラメントが赤熱する。【００１１】マイクロスイッチ（５１）の接点は，ＳＷ部（１６）の入力（１６ｂ）と（１６ｃ）に該当し，ＳＷ部（１６）内において，マイクロスイッチのオンオフを判別する。（１７）は電源電圧の給電点である。ＳＷ部（１６）の出力はＨレベルもしくはＬレベルのディジタル信号である。ＳＷ部（１６）内の手動スイッチによるチャタリングを緩和するためにコンデンサ（１８）を付設する。ＳＷ部（１６）の出力はＮＡＮＤ２（１４）の入力（２ｂ）となり，他方の入力（２ａ）に連続パルスの出力を接続すると，（２ｂ）がＨレベルの場合，連続パルスがＮＡＮＤ２（１４）をスルー出力する。（２ｂ）がＬレベルの場合，ＮＡＮＤ２（１４）の出力は常にＨレベルになり，パルスが停止する。【００１２】ＮＡＮＤ２（１４）の出力をＦＥＴゲート駆動部（２０）に入力する。ＦＥＴゲート駆動部（２０）は論理ＩＣのインバータ，バイポーラトランジスタより構成され，ＦＥＴのゲートに電圧を印加する。バイポーラトランジスタはゲート容量の充電と放電を行う電流を増幅する。点火プラグのフィラメントはコイル状のため誘導性が有り，電源電圧の３倍程のサージ電圧がＦＥＴのドレイン，ソース間に発生する。このサージを緩和するためコンデンサ（２４）を付設する。抵抗（２３）は，フィラメント���突入電流を緩和するための電流制限用である。【００１３】ＳＷ部（１６）の詳細を図２に示す。給電点（３７）はＳＷ部（１６）の出力であり，図１の（２ｂ）に該当する。スイッチ（３１）はトグルスイッチもしくはスライドスイッチであり手動により，（３７）の信号レベルを切り換える。抵抗（３０）は図１のコンデンサ（１８）とＣＲ結合し，スイッチ（３１）の切り換え時のチャタリングを緩和する。手動モードと外部制御モードを切り換える手段は，ピンヘッダと短絡ソケットの組み合わせ，トグルスイッチ，あるいはスライドスイッチのいづれかによる。図２ではピンヘッダ（３２）の場合を代表例としている。３ピンヘッダの真ん中のピンを（３７）に接続する信号線（３２ｃ）とする。ピンヘッダ（３２）と短絡コネクタとの組み合わせ位置を選択的に切り換える。手動モードの場合，（３２ｃ）と（３２ａ）を短絡する。外部制御モードの場合，（３２ｃ）と（３２ｂ）を短絡する。マイクロスイッチのチャタリングを緩和するためコンデンサ（３４）を付設する。外部制御の動作内容について説明する。（１６ｂ）と（１６ｃ）が閉じると，抵抗（３３）に接続された（１６ｂ）はＨレベルからＬレベルに変化する。Ｌレベルの信号はインバータ（３５）により反転し，Ｈレベルとなり，従って（２ｂ）もＨレベルとなり連続パルスがＮＡＮＤ２（１４）から送出される。【００１４】図４に点火プラグ用ドライバ（５０）に布地もしくは柔軟性のある合成樹脂製の組電池収納袋を取り付けた外観を示す。組電池を収納する袋（６１）と，点火プラグ用ドライバ（５０）の背面をホックにより結合する。袋（６１）の口を閉じる輪状の紐（６０）を取り付け，首掛けもしくは肩掛けとしてもよい。【００１５】図５にホック結合の詳細の断面を示す。ホック結合について説明する。点火プラグ用ドライバ（５０）の背面ケースにホックを取り付ける穴を明けておく。同様に袋（６１）にもホックの取り付け穴を明ける。点火プラグ用ドライバ（５０）の底面ケースの穴にオスのホック（６３ｂ）を通し，突起（６３ａ）とカシメる。袋（６１）の穴にホックの頭（６２ａ）を通し，凹起（６２ｂ）とカシメる。オスメスのホックを重ねて，力を加えると，ホックのオス突起（６３ａ）とメス凹起（６２ｂ）がスナップインする。
【図面の簡単な説明】
【図１】本考案の全体を示したブロック図である。
【図２】ＳＷ部の詳細を示した図である。
【図３】点火プラグ用ドライバを応用した従来例のブロック図である。
【図４】組電池収納袋を取り付けた外観を示す図である。
【図５】ホック結合の詳細を示した断面図である。
【符号の説明】
【００１６】６，７，１５，３５：インバータ
８，１８，２４，３４：コンデンサ
９，２３，３０，３３：抵抗
１０：可変抵抗
１１：発振回路の出力
１２：遅延波生成部
１３，１４：ＮＡＮＤ
１ａ，１ｂ，２ａ，２ｂ：ＮＡＮＤの入力信号線
１６：ＳＷ部
１６ｂ，１６ｃ：接点入力
１７：電源電圧給電点
１９：コモン
２０：ＦＥＴゲート駆動部
２１：ＦＥＴ
２２：プラグ部
２５：電解コンデンサ
３１：手動スイッチ
３２：ピンヘッダ
３２ａ，３２ｂ，３２ｃ：ピンヘッダの信号線
３７：ＳＷ部の出力
５０：点火プラグ用ドライバ
５１：マイクロスイッチ
５２：スライダ
５３：電池
６０：紐
６１：袋
６２ａ，６２ｂ，６３ａ，６３ｂ：ホックの構成要素
【図１】
0003132951.tif 000003
【図２】
0003132951.tif 000004
【図３】
0003132951.tif 000005
【図４】
0003132951.tif 000006
【図５】
0003132951.tif 000007